(57)【要約】【課題】複数の室内機を１グループとする少なくとも１つの室内機グループと、室内機に接続する少なくとも１台の室外機とからなる空気調和機において、親子設定に要する時間を短縮する。  【解決手段】室内機は運転を制御する制御回路と、空気調和機の運転を遠隔操作する遠隔操作手段との通信を行う第１通信手段と、室内機グループ内で他の室内機と通信を行う第２通信手段と、室内機が電源投入時に前記第１通信手段により前記遠隔操作手段との通信が行えることを確認すると自身を親機に設定し、確認できない場合は自身を子機に設定する親子設定手段とを設け、各々の室内機がそれぞれ自身の親子設定を行うことにより、親子設定の時間を短縮する。【選択図】  図３
2005121279.tif 000002
【特許請求の範囲】
【請求項１】
複数の室内機を１つのグループとする少なくとも１組の室内機グループと、前記室内機に接続される少なくとも１台の室外機とからなる空気調和機であって、
前記室内機は、運転を制御する制御回路と、空気調和機の運転を遠隔操作する遠隔操作手段との通信を行う第１通信手段と、前記室内機グループ内で他の室内機と通信を行う第２通信手段とを備え、さらに、前記室内機は、電源投入時に前記第１通信手段により前記遠隔操作手段との通信が行えることを確認すると自らを親機に設定し、確認できない場合は自らを子機に設定する親子設定手段が設けられていることを特徴とする空気調和機。
【請求項２】
前記室内機グループ内の各室内機は、それぞれ同じ構成であることを特徴とする請求項１に記載の空気調和機。
【請求項３】
前記室内機は、自らを親機であることを認識すると前記室内機グループ内の他の室内機に自身が親機であることを前記第２通信手段により通達することを特徴とする請求項１または２に記載の空気調和機。
【請求項４】
前記室内機は、前記親子設定手段により子機に設定されると、前記遠隔操作手段との通信を行う第１通信手段の動作を停止することを特徴とする請求項１〜３のいずれか一項に記載の空気調和機。
【請求項５】
前記室内機は、親機用回路と子機用回路とを切り替える回路切替手段を備え、前記回路切替手段の電源投入前の初期状態が子機用回路に設定されており、前記室内機は、電源投入後に前記親子設定手段により親機に設定されると前記回路切替手段を親機用回路に切り替えることを特徴とする請求項１〜４のいずれか一項に記載の空気調和機。
【請求項６】
前記室内機は、親機用回路と子機用回路とを切り替える回路切替手段を備え、前記回路切替手段の電源投入前の初期状態が親機用回路に設定されており、前記室内機は電源投入後に前記親子設定手段により子機に設定されると前記回路切替手段を子機用回路に切り替えることを特徴とする請求項１〜４のいずれか一項に記載の空気調和機。
【請求項７】
前記室内機は、親機または子機であることを表示する表示装置を備えたことを特徴とする請求項１〜６のいずれか一項に記載の空気調和機。
【発明の詳細な説明】
【技術分野】
【０００１】
本発明は、複数の室内機を１グループとする少なくとも１つの室内機グループと、前記室内機に接続する少なくとも１台の室外機とからなる空気調和機に関し、特に室内機における親子設定手段に関する。
【背景技術】
【０００２】
特許文献１には、室外ユニットが室内ユニットグループにおける親子設定を自動的に行うシステムについて記載されている。この親子設定システムは、室外機が所定の室内ユニットとリモコン通信用バスラインとを介して他の室内ユニットに確認コマンドを送信し、このコマンドに対する応答が有るか否かを判定する。そして、応答があり、かつ応答した室内ユニット中に親ユニットがない場合には前記所定の室内ユニットを親ユニットに設定する。
【０００３】
また、室外ユニットは、別の所定の室内ユニットとリモコン通信用バスラインとを介して他の室内ユニット確認コマンドを送信し、これに対する応答が有るか否かを判定する。そして、応答があり、かつ応答した室内ユニット中に親ユニットがすでにある場合には、この所定の室内ユニットを子ユニットに設定する。
【０００４】
このようにして、空気調和機の設置後に主電源を投入することで、室外ユニットが各室内ユニットと通信を行い、その通信結果に基づいて各室内ユニットの親子判定が自動的に行われるようになっている。
【０００５】
これにより、グループ化した室内ユニットの運転制御を行う場合に必要な親子設定を自動的に行えるようにし、設置作業者による室内ユニットのマスタ／スレーブ切換えスイッチの操作などが不要となると共に、誤設定に起因する制御指令の交錯などを防止できるようになっている。
【特許文献１】特開平１０−１２２６２９号公報（段落００２１〜００２７参照）
【発明の開示】
【発明が解決しようとする課題】
【０００６】
しかしながら、特許文献１に記載されている親子設定手段では、室外ユニットから室内ユニットの１台１台に確認コマンドを送信して親子設定を行っているため、親子設定が終了するまで時間がかかり不便であった。
【０００７】
本発明の目的は、このような従来の課題を解決し、親子設定に要する時間を短縮することにある。
【課題を解決するための手段】
【０００８】
上記目的を達成するため、本発明は、複数の室内機を１つのグループとする少なくとも１組の室内機グループと、前記室内機に接続される少なくとも１台の室外機とからなる空気調和機であって、室内機は、運転を制御する制御回路と、空気調和機の運転を遠隔操作する遠隔操作手段との通信を行う第１通信手段と、前記室内機グループ内で他の室内機と通信を行う第２通信手段とを備え、さらに、前記室内機は、電源投入時に前記第１通信手段により前記遠隔操作手段との通信が行えることを確認すると自らを親機に設定し、確認できない場合は自らを子機に設定する親子設定手段が設けられていることを特徴としている。
【０００９】
上記構成においては、各室内機が、親子設定手段により、電源投入時に第１通信手段により遠隔操作手段との通信が行えることを確認すると自らを親機に設定し、確認できない場合は自らを子機に設定する。したがって、各々の室内機がそれぞれ自分自身の親子設定を行うため、特許文献１のように室外ユニットから室内ユニットの１台１台に確認コマンドを送信して親子設定を行う場合に比べて、親子設定を行う時間が短縮される。
【００１０】
この場合、前記室内機グループ内の各室内機は、それぞれ同じ構成にすることができる。これにより、室内機の構成が同じであるため、コスト低減につながる。
【００１１】
また、前記室内機は、自らを親機であることを認識すると前記室内機グループ内の他の室内機に自身が親機であることを前記第２通信手段により通達することができる。これにより、親機は、他の子機を支配化におくことができ、グループ化された室内機において統一された運転制御を行うことができる。
【００１２】
また、前記室内機は、前記親子設定手段により子機に設定されると、前記遠隔操作手段との通信を行う第１通信手段の動作を停止することができる。これにより、子機は遠隔操作手段からの通信により誤動作するのを防ぐことができる。
【００１３】
また、前記室内機は、親機用回路と子機用回路とを切り替える回路切替手段を備え、前記回路切替手段の電源投入前の初期状態を子機用回路に設定し、前記室内機は、電源投入後に前記親子設定手段により親機に設定されると前記回路切替手段を親機用回路に切り替えるように構成するか、逆に、回路切替手段の電源投入前の初期状態を親機用回路に設定し、前記室内機は電源投入後に前記親子設定手段により子機に設定されると前記回路切替手段を子機用回路に切り替えるように構成することもできる。これにより、設置作業者が回路切替手段を切り替える手間が省けるとともに、切り替え忘れを防止することができる。
【００１４】
さらに、前記室内機は、親機または子機であることを表示する表示装置を備えておくことができる。これにより、室内機が親機と子機のどちらに設定されているかを使用者が容易に確認できる。
【発明の効果】
【００１５】
以上のとおり、本発明によれば、各々の室内機がそれぞれ自分自身の親子設定を行うため、室外機との通信により親子設定する場合に比べて、その設定時間を短縮することができる。
【発明を実施するための最良の形態】
【００１６】
本発明に係る空気調和機の実施形態を図面に基づいて説明する。
【００１７】
[第１の実施形態]
図１は本発明の第１の実施形態を示す天吊りセパレートタイプの空気調和機の第１外観図、図２は同じくその配線接続状態を示すブロック図、図３はワイヤードリモコン使用時の親子設定フローチャートである。
【００１８】
図に示すように、室内機１−Ａには、第１通信手段８−Ａ、第２通信手段９−Ａ、制御回路１１−Ａ、ワイヤレスリモコン信号受光素子１０−Ａ、電源プラグ３−Ａが設けられている。室内機１−Ｂには、第１通信手段８−Ｂ、第２通信手段９−Ｂ、制御回路１１−Ｂ、ワイヤレスリモコン信号受光素子１０−Ｂ、電源プラグ３−Ｂが設けられている。また、各室内機１−Ａ、１−Ｂには、データの送受信用の配線接続コネクタ（図示略）が設けられ、ワーヤードリモコン４あるいは集中コントローラー１２（図４参照）と配線接続可能となっている。このように、室内機１−Ａと室内機１−Ｂの構造は同じであり、共通化されているため、コスト低減につながる。
【００１９】
室内機１−Ａと室外機２−Ａは、配線７−Ａにより接続され、室内機１−Ｂと室外機２−Ｂは配線７−Ｂにより接続されている。この配線７−Ａと配線７−Ｂを通して室内機と室外機の通信を行えるようになっている。
【００２０】
室内機１−Ａ内に設けられた第１通信手段８−Ａと遠隔操作手段であるワイヤードリモコン４が配線５により接続され、データの送受信を行うようになっている。室内機１−Ｂに設けられた第１通信手段８−Ｂには遠隔操作手段であるワイヤードリモコン４は接続されていない。しかし、ワイヤードリモコン４は室内機からの取り外しが可能であるので、必要であれば、室内機１−Ａから取り外して室内機１−Ｂに取り付けることもできる。また、室内機１−Ａに設けられた第２通信手段９−Ａと室内機１−Ｂに設けられた第２通信手段９−Ｂは配線６により接続されており、データの送受信を行えるようになっている。
【００２１】
さらに、ワイヤレスリモコン信号受光素子１０−Ａは第１通信手段８−Ａと接続され、ワイヤレスリモコン信号受光素子１０−Ｂは第１通信手段８−Ｂと接続されている。
【００２２】
制御回路１１−Ａは、内部にＣＰＵ、ＲＯＭ、ＲＡＭを備える一般的なマイクロコンピュータから構成され、第１通信手段８−Ａと第２通信手段９−Ａを制御できるようになっている。第１通信手段８−Ａと第２通信手段９−Ａは、制御回路１１−Ａと情報の授受を行える通信用インターフェースから構成されている。同様に、制御回路１１−Ｂは、内部にＣＰＵ、ＲＯＭ、ＲＡＭを備える一般的なマイクロコンピュータから構成され、第１通信手段８−Ｂと第２通信手段９−Ｂを制御できるようになっている。同様に、第１通信手段８−Ｂと第２通信手段９−Ｂも制御回路１１−Ｂと情報の授受を行える通信用インターフェースから構成されている。
【００２３】
また、電源プラグ３−Ａを商用電源コンセントに差し込むことで室内機１−Ａが通電され、また、電源プラグ３−Ｂを商用電源コンセントに差し込むことで室内機１−Ｂが通電される。
【００２４】
次に、図３に基づいて室内機１−Ａの親子設定動作について説明する。図３はワイヤードリモコン使用時の親子設定フローチャートである。
【００２５】
室内機１−Ａに通電されると、制御回路１１−Ａは図３に示される親子設定ルーチンを実行する。Ｓ１にて親子設定が終了したかを確認する。終了している場合は、何もせずにこの親子設定ルーチンを抜ける。
【００２６】
電源投入時には、親子設定が終了していないため、親子設定終了フラグ＝０である。そこで、Ｓ２に進み、Ｓ２にてワイヤードリモコンと通信できるかを確認する。本実施形態では、室内機１−Ａにはワイヤードリモコン４が接続されており通信可能であるのでＳ３に進む。Ｓ３にて制御回路１１−Ａは室内機１−Ａを親機に設定し、親子設定を終了し、Ｓ５にて親子設定終了フラグ＝１にしてこの親子設定ルーチンから抜ける。
【００２７】
次に、室内機１−Ｂの親子設定について説明する。室内機１−Ｂに通電されると、制御回路１１−Ｂは図３に示される親子設定ルーチンを実行する。Ｓ１にて親子設定が終了したかを確認する。終了している場合は、何もせずにこの親子設定ルーチンを抜ける。
【００２８】
電源投入時には、親子設定が終了していないので親子設定終了フラグ＝０である。そこで、Ｓ２に進み、Ｓ２にてワイヤードリモコンと通信できるかを確認する。室内機１−Ｂにはワイヤードリモコン４が接続されておらず通信できないのでＳ４に進む。Ｓ４にて制御回路１１−Ｂは室内機１−Ｂを子機に設定し、親子設定を終了し、Ｓ５にて親子設定終了フラグ＝１にしてこの親子設定ルーチンから抜ける。このようにして、室内機１−Ａと室内機１−Ｂの親子設定が完了する。なお、この親子設定ルーチンは室内機に通電されている限り何度も繰り返し通る仕組みになっている。
【００２９】
そして、親機に設定された室内機１−Ａは、第２通信手段を介して室内機１−Ｂに自分が親機であることを通達する。これにより、室内機１−Ｂは、親機が室内機１−Ａであることを認識することができ、室内機１−Ｂの制御回路１１−Ｂは、室内機１−Ａの指示に従うように設定される。
【００３０】
このように、各々の室内機がそれぞれ自分自身の親子設定を行うため、親子設定の時間が短縮され、取り付け工事の時間短縮につながり便利である。さらに、室内機の構造はすべての室内機において同じであるので、ワイヤードリモコンをどの室内機にも接続できるので、親機を自由に選択することができる。また、室内機自身が親機か子機かを設定するために、作業者のミスにより複数の室内機を子機に設定したり、親機に設定したりすることを防止できる。
【００３１】
なお、本実施形態では、室外機が室内機１台１台にそれぞれ１台ずつ取り付けられているが、１台の室外機で複数の室内機に接続するタイプでもよく、室内機の数も２台に限定されるものではなく、３台以上でもよい。
【００３２】
また、通電方法も室内機に電源プラグを設けることに限定されるものではなく、室外機に電源プラグを設けて通電させてもよい。
【００３３】
［第２実施形態］
次に、本発明の第２の実施形態である空気調和機を図４および図５に基づいて説明する。図４は、３つの室内機グループと集中管理システムとを接続した図である。この集中管理システムでは、複数の室内機グループを集中コントローラー１２にて操作できるようにしたシステムである。
【００３４】
各室内機グループＡ，Ｂ，Ｃの室内機の構造はすべて同じであり、上記第１の実施形態と同様な構成となっている。また、各室内機には、上記第１の実施形態のワイヤードリモコン接続用の配線コネクタと同様な構成の集中コントローラー１２用の配線コネクタ（図示略）を備え、３つの室内機グループのそれぞれ一つの室内機１−Ａ、１−Ａ１、１−Ａ２が配線１３にて集中コントローラー１２に接続されている。そして、各室内機グループの室内機１−Ｂ、１−Ｂ１、１−Ｂ２の第２通信手段はそれぞれの室内機グループの室内機１−Ａ、１−Ａ１、１−Ａ２の第２通信手段と配線６により接続されてデータの送受信を行えるようになっている。その他の構成は第１の実施形態と同様である。
【００３５】
図５は集中コントローラー使用時の親子設定フローチャートである。図５に基づいて各室内機の親子設定動作を説明すると、まず、グループＡの室内機１−Ａでは、その制御回路１１−Ａが、Ｓ１にて親子設定が終了したかを確認する。終了している場合は、何もせずにこの親子設定ルーチンを抜ける。電源投入時、親子設定は終了していないので親子設定終了フラグ＝０である。そこで、Ｓ２に進み、Ｓ２にて集中コントローラー１２と通信できるかを確認する。
【００３６】
グループＡの室内機１−Ａには集中コントローラー１２が接続されており通信可能であるのでＳ３に進む。Ｓ３にて制御回路１１−Ａは室内機１−Ａを親機に設定し、親子設定が終了したので、Ｓ５にて親子設定終了フラグ＝１にしてこの親子設定ルーチンから抜ける。
【００３７】
グループＡの室内機１−Ｂの親子設定動作は、ワイヤードリモコン４を集中コントローラー１２に置き換えただけであるので省略する。なお、この親子設定ルーチンは室内機に通電されている限り何度も繰り返し通る仕組みになっている。
【００３８】
このようにして、グループＡにおける親子設定が行われる。そして、親機に設定された室内機１−Ａは、第２通信手段を介して室内機１−Ｂに自分が親機であることを通達する。これにより、室内機１−Ｂは、親機が室内機１−Ａであることを認識することができ、室内機１−Ｂの制御回路１１−Ｂは、室内機１−Ａの指示に従うように設定される。
【００３９】
グループＢの室内機１−Ａ１および室内機１−Ｂ１、グループＣの室内機１−Ａ２および室内機１−Ｂ２も上記と同様な手順にて親子設定が行われる。
【００４０】
このように、各々の室内機がそれぞれ自分自身の親子設定を行うため、親子設定の時間が短縮され、取り付け工事の時間短縮につながり便利である。さらに、室内機の構造はすべての室内機において同じであるので、集中コントローラー１２をどの室内機にも接続できるので、親機を自由に選択することができる。その他の作用効果は上記第１の実施形態と同様である。
【００４１】
［第３実施形態］  
次に、本発明の第３の実施形態である空気調和機を図６および図７に基づいて説明する。図６は遠隔操作手段をワイヤレスリモコンにした図である。ワイヤレスリモコン１４から送られてきた信号を室内機１−Ａに搭載されているワイヤレスリモコン信号受信素子１０−Ａが受信し、その信号は第１通信手段８−Ａに送られる仕組みになっている。その他の構成は第１の実施形態と同様であるので、その説明を省略する。
【００４２】
図７はワイヤレスリモコン使用時の親子設定フローチャートである。図５に基づいて各室内機の親子設定動作を説明すると、まず、室内機１−Ａに通電されると、その制御回路１１−Ａは図７に示される親子設定ルーチンを実行する。
【００４３】
図７において、Ｓ１にて親子設定が終了したかを確認する。終了している場合は、何もせずにこの親子設定ルーチンを抜ける。電源投入時、親子設定は終了していないので親子設定終了フラグ＝０である。そこで、Ｓ２に進み、Ｓ２にてワイヤレスリモコン１４からの信号を受信したかを確認する。受信できていればＳ３に進み、Ｓ３にて制御回路１１−Ａは室内機１−Ａを親機に設定し、親子設定が終了したのでＳ４にて親子設定終了フラグ＝１にしてこの親子設定ルーチンから抜ける。
【００４４】
もし、Ｓ２にてワイヤレスリモコン１４からの信号を受信できていない場合は、Ｓ５に進む。Ｓ５にて所定時間（例えば１０秒）経過したかをチェックする。所定時間経過していなければ何もせずにこの親子設定ルーチンを抜ける。所定時間経過していればＳ６に進み、Ｓ６にて制御回路１１−Ａは室内機１−Ａを子機に設定する。
【００４５】
このようにして、室内機１−Ａの親子設定が完了する。室内機１−Ｂの親子設定動作も室内機１−Ａとほぼ同じである。Ｓ５にて所定時間の経過を待つのはワイヤレスリモコンの場合、作業者がワイヤレスリモコンを操作するために、ある程度の作業時間が必要であるためである。
【００４６】
なお、この親子設定ルーチンは室内機に通電されている限り何度も繰り返し通る仕組みになっている。
【００４７】
このように、各々の室内機がそれぞれ自分自身の親子設定を行うため、親子設定の時間が短縮されるため取り付け工事の時間短縮につながり便利である。また、ワイヤレスリモコンの場合、ワイヤレスリモコンからの信号を先に受信した方が親機になるので、自由に親機を選択できて便利である。
【００４８】
なお、本実施形態は一例に過ぎず、所定時間は１０秒に限定するものではなく、何秒であってもよい。その他の作用効果は上記第１の実施形態と同様である。
【００４９】
［第４実施形態］
次に、本発明の第４の実施形態である空気調和機を図８に基づいて説明する。図８は、遠隔操作手段がワイヤードリモコン、集中コントローラー、ワイヤレスリモコンのどれであっても、親子設定ができるようにしたフローチャートである。したがって、その空気調和機のシステムは、図１、図４および図６のいずれかの構成となっており、室内機の構成は図２に示す構成となっている例である。
【００５０】
本実施形態の親子設定の動作は、図８において、Ｓ１にて親子設定が終了したかを確認する。終了している場合は、何もせずにこの親子設定ルーチンを抜ける。電源投入時、親子設定は終了していないので親子設定終了フラグ＝０である。そこで、Ｓ２に進み、Ｓ２にてワイヤードリモコンと通信できるかを確認する。ワイヤードリモコンと通信できる場合はＳ６にて親機設定にする。
【００５１】
ワイヤードリモコンと通信できない場合は、Ｓ３にて集中コントローラー１２と通信できるかを確認する。集中コントローラー１２と通信できる場合はＳ６にて親機に設定する。集中コントローラー１２と通信できない場合はＳ４に進み、ワイヤレスリモコンからの信号を受信したかを確認する。
【００５２】
ワイヤレスリモコンからの信号の受信が確認できた場合はＳ６にて親機に設定する。受信できていない場合は、Ｓ５に進み、所定時間（例えば１０秒）が経過したかを確認する。所定時間経過していればＳ８にて子機に設定する。所定時間が経過していなければ、この親子設定ルーチンを抜ける。
【００５３】
このようにして、親子が決定すると、Ｓ７にて親子設定終了フラグ＝１にしてこの親子設定ルーチンから抜ける。なお、この親子設定ルーチンは室内機に通電されている限り何度も繰り返し通る仕組みになっている。
【００５４】
このように、本実施形態では、上記第１〜第３の実施形態をまとめた作用効果を奏することになる。各実施形態の作用効果はそれぞれの実施形態の項で説明したが、これらをまとめて説明すると、各々の室内機がそれぞれ自分自身の親子設定を行うため、親子設定の時間が短縮されるため取り付け工事の時間短縮につながり便利である。さらに、室内機の構造はすべての室内機において同じであるので、ワイヤードリモコンまたは集中管理システムをどの室内機にも接続できるので、親機を自由に選択することができる。
【００５５】
また、ワイヤレスリモコンの場合でも、ワイヤレスリモコンからの信号を先に受信した方が親機になるので、自由に親機を選択できて便利である。さらに、室内機自身が親機か子機かを設定するために、作業者のミスにより複数の機械を子機に設定したり、親機に設定したりすることを防止できる。
【００５６】
なお、本実施形態は一例に過ぎず、所定時間は１０秒に限定するものではなく、何秒であってもよい。また、室外機も本実施形態では、室内機１台１台にそれぞれ１台ずつ取り付けられているが、１台の室外機で複数の室内機に接続するタイプでもよく、室内機の数も２台に限定されるものではなく、３台以上でもよい。
【００５７】
さらに、通電方法も室内機に電源プラグを設けることに限定されるものではなく、室外機に電源プラグを設けて通電させてもよい。具体的な構成やフローチャート手順などについても、本実施形態に限定されるものではなく、本発明の範囲内で適宜変更であることはもちろんである。
【００５８】
［第５実施形態］
次に、本発明の第５実施形態である空気調和機について説明する。図９は遠隔操作手段としてワイヤレスリモコンを用いている場合の受信禁止手順フローチャートである。本実施形態においては、親子設定手段により子機に設定されると、遠隔操作手段との通信を行う第１通信手段の動作を停止するようにしたものである。この第１の通信手段の動作を停止する機能は、室内機の制御回路に備えることができる。その他の構成は第３の実施形態と同様であるので、その説明を省略する。
【００５９】
次に、本実施形態の受信禁止設定動作を図９に基づいて説明する。図９において、まず、Ｓ１にて親子設定が終了したかを確認する。終了していない場合は何もせずにこの受信禁止設定ルーチンを抜ける。終了している場合はＳ２に進む。Ｓ２にて子機であるかどうかをチェックする。子機でない場合は何もせずにこの受信禁止設定ルーチンを抜ける。子機である場合はＳ３に進む。Ｓ３にてワイヤレスリモコンからの受信を禁止して、この受信禁止設定ルーチンを抜ける。
【００６０】
このように、ワイヤレスリモコンを用いた場合、空気調和機の通常動作時に子機の方でもワイヤレスリモコンの信号を受信してしまう可能性がある。この場合、親機からの指示と競合し、誤動作する可能性があるが、ワイヤレスリモコンからの信号の受信を禁止することで誤動作を防ぐことができる。    
【００６１】
なお、本実施形態は一例に過ぎず、上記第１の実施形態および第２の実施形態で示すワイヤードリモコンや集中コントローラーの場合でも、第１通信手段の動作を禁止することで同様の効果を得られる。また、具体的な構成やフローチャート手順などについても、本実施例に限定されるものではなく、本発明の範囲内で適宜変更であることはもちろんである。
【００６２】
［第６実施形態］
次に、本発明の第６実施形態の空気調和機について説明する。図１０は回路切り替えフローチャート、図１１はＬＥＤ点灯消灯スイッチ切り替え回路図である。
【００６３】
本実施形態においては、室内機に親機用回路と子機用回路とを切り替える回路切替手段を備えている。この回路切替手段は、制御回路からの信号により動作するリレーおよびスイッチ（図示略）から構成され、室内機を親機用回路または子機用回路に切替える。親機用回路は、例えば、ワイヤレスリモコン信号受信素子および第１の通信手段を動作させるための回路であり、また、子機用回路は、例えば、ワイヤレスリモコン信号受信素子および第１の通信手段の動作を禁止する回路が挙げられる。
【００６４】
制御回路は、電源投入後に親子設定手段により親機に設定されると、回路切替手段を親機用回路に切り替え、また、電源投入後に親子設定手段により子機に設定されると回路切替手段を子機用回路に切り替える。
【００６５】
また、室内機は、図１１に示すように、親機または子機であることを表示する表示装置（ＬＥＤ１６）を備え、制御回路から駆動回路（リレー１５）を介して制御される。
【００６６】
その動作を説明すると、図１０において、まず、Ｓ１にて親子設定が終了したかを確認する。終了していない場合は何もせずにこの回路切替えルーチンを抜ける。終了している場合はＳ２に進む。Ｓ２にて親機であるかどうかをチェックする。親機である場合はＳ３に進み、回路切替手段であるスイッチを親機側に切り替える。子機である場合にはスイッチを子機側に切り替える。このような動作を行わせることにより、スイッチの切り替えの手間が省けるとともに、切り替え忘れを防止できる。
【００６７】
表示装置としては、図１１に示すように、親機の場合にはＬＥＤ１６が点灯させて親機であることを表示し、子機の場合にはＬＥＤ１６が消灯する回路が例示できる。リレー１５はスイッチ１５−Ａとコイル１５−Ｂから構成されている。スイッチ１５−Ａはコイル１５−Ｂに電流が流れると閉じ、流れていない場合は開放状態になる。
【００６８】
親機である場合は、制御回路からの出力信号によりコイル１５−Ｂに電流が流れて、スイッチ１５−Ａを閉じることによってＬＥＤ１６を点灯する。子機である場合にはコイル１５−Ｂを流さずにスイッチ１５−Ａを開状態にすることで、ＬＥＤ１６を消灯状態にする。
【００６９】
このように、ＬＥＤ１６を点灯させることにより、親機がどの室内機であるかを使用者が識別することができ、使用者にとって便利である。
【００７０】
なお、上記実施形態においては、回路切替手段についてのみ説明したが、親子設定手段については上記第１〜第５の実施形態に示す構成を適宜組合わせて使用することができる。
【００７１】
また、親機用回路と子機用回路とを切り替える回路切替手段の電源投入前の初期状態は中立状態に設定した例を示したが、回路切替手段の電源投入前の初期状態を子機用回路に設定し、電源投入後に親子設定手段により親機に設定されると回路切替手段を親機用回路に切り替えるように構成するか、逆に、回路切替手段の電源投入前の初期状態を親機用回路に設定し、電源投入後に親子設定手段により子機に設定されると回路切替手段を子機用回路に切り替えるように構成することもできる。
【００７２】
さらに、本実施形態は一例に過ぎず、具体的な構成やフローチャート手順などについても、本実施形態に限定されるものではなく、本発明の範囲内で適宜変更であることはもちろんである。
【図面の簡単な説明】
【００７３】
【図１】本発明の第１実施形態を示す天吊りセパレートタイプの空気調和機の第１外観図
【図２】図１の配線接続を表すブロック図
【図３】図１のワイヤードリモコン使用時の親子設定フローチャート
【図４】本発明の第２実施形態である天吊りセパレートタイプの空気調和機の第２外観図
【図５】図４の集中コントローラー使用時の親子設定フローチャート
【図６】本発明の第３実施形態である天吊りセパレートタイプ空気調和機の第３外観図
【図７】図６のワイヤレスリモコン使用時の親子設定フローチャート
【図８】本発明の第４実施形態を示す３つの遠隔操作装置に対応した親子設定フローチャート
【図９】本発明の第５実施形態を示すワイヤレスリモコン使用時の受信禁止設定フローチャート
【図１０】本発明の第６の実施形態を示す回路切り替えフローチャート
【図１１】第６の実施形態におけるＬＥＤ点灯消灯スイッチ切り替えの回路図
【符号の説明】
【００７４】
１−Ａ   室内機
１−Ｂ   室内機
２−Ａ   室外機
２−Ｂ   室外機
３−Ａ   電源プラグ
３−Ｂ   電源プラグ
４       ワイヤードリモコン
５       配線（ワイヤードリモコンと第１通信手段間）
６       配線（室内機間）
７−Ａ   配線（室内機と室外機間）
７−Ｂ   配線（室内機と室外機間）
８−Ａ   第１通信手段
８−Ｂ   第１通信手段
９−Ａ   第２通信手段
９−Ｂ   第２通信手段
１０−Ａ  ワイヤレスリモコン信号受光素子
１０−Ｂ  ワイヤレスリモコン信号受光素子
１１−Ａ  制御回路
１１−Ｂ  制御回路
１２     集中コントローラー
１３     配線（集中コントローラーと室内機間）
１４     ワイヤレスリモコン
１５     リレー
１５−Ａ  スイッチ
１５−Ｂ  コイル
１６     ＬＥＤ
【図１】
2005121279.tif 000003
【図２】
2005121279.tif 000004
【図３】
2005121279.tif 000005
【図４】
2005121279.tif 000006
【図５】
2005121279.tif 000007
【図６】
2005121279.tif 000008
【図７】
2005121279.tif 000009
【図８】
2005121279.tif 000010
【図９】
2005121279.tif 000011
【図１０】
2005121279.tif 000012
【図１１】
2005121279.tif 000013